(57)【要約】例えばＤＶＤのようなディスク型の情報担体を格納するための筐体。前記筐体は、前記情報担体用の保持機構（７）を備えた底部（１）と、ヒンジ式に動くように前記底部に接続された蓋部（３）とを備える。ここで２つのコーナヒンジが接続を形成し、前記コーナヒンジは、ヒンジ部の２つの没入したヒンジアーム（３０）と、２つの整合する没入したヒンジ壁（３６）とを有する。前記蓋部は、前記ヒンジアームに略平行に前記筐体の外側に延在する保護壁（４２）を備え、これにより外部の力学的な影響から前記ヒンジアームを保護する。各ヒンジアームと向かい合う保護壁の対向する平行な部分との間の距離は、６．６ｍｍと１３．１ｍｍとの間の範囲にある値を持つ。
2006519144.tif 000002
【特許請求の範囲】
【請求項１】
ディスク型の情報担体を格納するための筐体であって、底部と、前記情報担体を保持する保持機構と、２つのコーナヒンジによって前記底部に接続された蓋部とを備え、前記蓋部は、それぞれが没入したヒンジアームを備えた２つのヒンジ構造を有し、前記ヒンジアームは前記蓋部の側面に対して没入させられ、前記ヒンジ構造は更に、前記ヒンジアームに相対して存在する保護壁を備え、前記保護壁は、前記ヒンジアームに略平行に前記蓋部の前記側面において延在する壁部を持ち、前記底部は、前記没入したヒンジアームに整合する２つのコーナ凹部を備え、前記コーナ凹部において前記ヒンジアームが延在し、前記コーナ凹部は、没入したヒンジ壁によって境界付けられ、前記ヒンジ壁は、それぞれが前記底部の側面に対して没入させられ、前記没入したヒンジアームは、前記コーナヒンジを形成するため前記没入したヒンジ壁に回転可能に結合され、各前記ヒンジ構造における前記没入したヒンジアームと前記壁部との間の距離は、少なくとも６．６ｍｍである値を持つ筐体。
【請求項２】
各前記ヒンジ構造における前記没入したヒンジアームと前記壁部との間の距離は９．８ｍｍである、請求項１に記載の筐体。
【請求項３】
前記蓋部は平面形であり、前記ヒンジ構造によって定義され前記ヒンジ構造をカバーする２つのエリアを持つ、請求項１に記載の筐体。
【請求項４】
前記蓋部の前記２つのエリアは標識を備える、請求項３に記載の筐体。
【請求項５】
前記筐体は１４２ｍｍの奥行、１２４ｍｍの幅及び１０ｍｍの高さを持つ、請求項１に記載の筐体。
【請求項６】
前記筐体は１９０ｍｍの奥行、１４２ｍｍの幅及び１０ｍｍの高さを持つ、請求項１に記載の筐体。
【請求項７】
前記蓋部は射出成形による生成物である、請求項１に記載の筐体。
【請求項８】
前記蓋部及び前記底部はポリスチレンから形成される、請求項７又は８に記載の筐体。
【請求項９】
前記保持機構は前記筐体にピボット回転可能に装着される、請求項１乃至８のいずれか一項に記載の筐体。
【請求項１０】
請求項１乃至９のいずれか一項において記載された蓋部であって、請求項１乃至９のいずれか一項に記載の筐体における利用に適した蓋部。
【発明の詳細な説明】
【技術分野】
【０００１】
本発明は、ディスク型の情報担体を格納するための筐体であって、底部と、前記情報担体を保持する保持機構と、２つのコーナヒンジによって前記底部に接続された蓋部とを備え、前記蓋部は、それぞれが没入したヒンジアームを備えた２つのヒンジ構造を有し、前記ヒンジアームは前記蓋部の側面に対して没入させられ、前記ヒンジ構造は更に、前記ヒンジアームに相対して存在する保護壁を備え、前記保護壁は、前記ヒンジアームに略平行に前記蓋部の前記側面において延在する壁部を持ち、前記底部は、前記没入したヒンジアームに整合する２つのコーナ凹部を備え、前記コーナ凹部において前記ヒンジアームが延在し、前記コーナ凹部は、没入したヒンジ壁によって境界付けられ、前記ヒンジ壁は、それぞれが前記底部の側面に対して没入させられ、前記没入したヒンジアームは、前記コーナヒンジを形成するため前記没入したヒンジ壁に回転可能に結合される筐体に関する。
【背景技術】
【０００２】
ＰＣＴ特許出願公開WO99/17291は、１以上の例えばＤＶＤのようなディスク型の情報担体を格納する筐体を開示している。前記筐体は、底部と、情報担体を保持するための前記底部に存在する保持機構と、前記底部に回転可能に接続された蓋部とを備える。前記蓋部は、それぞれが前記蓋部の側面に対して没入させられた、２つの没入したヒンジアーム（hinge arm）を供える。前記底部は、前記没入したヒンジアームに整合する２つのコーナ凹部を備え、該凹部に前記ヒンジアームが延在する。前記コーナ凹部は、それぞれが前記底部の側面に対して没入させられた、没入したヒンジ壁によって境界付けられる。前記没入したヒンジアームは、コーナヒンジを形成するため、前記没入したヒンジ壁の開口まで延在するヒンジスタッド（stud）を備える。前記蓋部は２つの防護壁を備え、各々が、それぞれのヒンジアームと相対して存在し、略前記蓋部の側面に延在する。
【発明の開示】
【発明が解決しようとする課題】
【０００３】
この知られた筐体の蓋部は、射出成形された生成物であり、ポリプロピレンから生成される。蓋部を成形するために必要とされる時間が、かなり長いことが分かっている。筐体は大量生産を意図しているため、成形処理のサイクル時間は、とりわけ単位時間当たりの成形される蓋部の数については、筐体の製造における重要なパラメータであることは明らかであろう。
【０００４】
本発明の目的は、より短い時間で製造されることができるように、最初のパラグラフにおいて述べた種類の筐体を改善することにある。
【課題を解決するための手段】
【０００５】
本目的は、各前記ヒンジ構造における前記没入したヒンジアームと前記壁部との間の距離は、少なくとも６．６ｍｍである値を持つことを特徴とする、本発明による筐体によって達成される。
【０００６】
本発明が関する筐体のヒンジアーム及びヒンジ壁の特殊な配置により、底部及び蓋部の側面によって形成される前記筐体の側面の輪郭に対して没入させられたコーナヒンジが存在する。前記コーナヒンジは加えて、ヒンジ壁に沿って延在する保護壁によって保護される。この結果、前記筐体、及びより詳細には該筐体のヒンジが、例えば落下又は衝撃によって引き起こされる力学的な外部作用に対して非常に優れた耐性を持つ。本発明による筐体は、例えばオーディオ、ビデオ又はデータ情報を備えた、例えば光又は光磁気ディスクのような、ディスク型の情報担体を格納するために適している。
【０００７】
各ヒンジ構造において前記ヒンジアームと前記壁との間に備えられた距離によって、蓋部を成形するためのサイクル時間がかなり短縮されることができることが、実験的に証明されている。前記知られた筐体の蓋部を射出成形によって製造するために必要とされる時間は、６．２秒であることが分かっている。同種の成形を用いて、本発明による筐体の蓋部を製造するために必要とされる時間は、５．６秒だけである。かくして、成形工程自体を変更することなく、約１０％の時間短縮が達成可能である。このことは、製造コストの相当の節約をもたらす。上述した効果は、前記距離が６．６ｍｍより小さい場合又は１３．１ｍｍよりも大きい場合には得られない。実用的な前記距離の上限値は、１３．１ｍｍである。
【０００８】
本発明による筐体の実用的な実施例は、各前記ヒンジ構造における前記没入したヒンジアームと前記壁部との間の距離は９．８ｍｍであるという特徴を持つ。好ましくは、前記蓋部は平面形であり、前記ヒンジ構造によって定義され前記ヒンジ構造をカバーする２つのエリアを持つ。かようなエリアはとりわけ、ロゴ又は商標のような標識を表示するために適している。
【０００９】
前記筐体は好ましくは、各コーナヒンジのヒンジアーム又はヒンジ壁が、スタッドを備えられていない対応するヒンジ壁又はヒンジアームの開口に突出するスタッド又は円形のピンを備えるという特徴を持つ。前記ヒンジアーム又はヒンジ壁はかくして、単純で信頼性高い方法で、ヒンジ式に動くように互いに結合される。前記蓋の前記底部への固定を容易化するため、前記ヒンジアームは好ましくは、互いに向かう及び／又は互いから離れる方向に弾性があり、一方で前記ヒンジ壁は剛体である。前記スタッド又は円形のピンは好ましくは前記ヒンジアーム上に存在し、前記筐体の組立工程の間に、この場合には前記ヒンジ壁に存在する前記開口に容易に挿入されることができる。組立の後、前記弾性のあるヒンジアームは前記スタッド又はピンが前記開口に固定されたままであることを確実にする。前記底部は通常箱型にされ、垂直な側壁を備えられる。没入したヒンジ壁が好ましくは、かような底部における前記側壁に対して内側にシフトされた壁部によって形成される。
【００１０】
前記ヒンジ構造の保護壁は、好ましくは弾性のある構造のものである。前記コーナヒンジの幾分柔軟であり従ってとりわけ効果的な保護が、これにより達成される。前記保護壁は好ましくは、互いに向かう及び互いから離れる方向に弾性がある。
【００１１】
前記保護壁は、完全に前記筐体の外側の輪郭内に延在し、前記底部のコーナの凹部に延在しても良い。前記保護壁は好ましくは、壁部が箱型の形を持つ場合には、前記底部の側壁の延在する方向に位置する。
【００１２】
前記保護壁は好ましくはそれぞれが自由端部を備え、前記自由端部は互いに向かって曲げられ、それぞれが前記ヒンジアームの１つの自由端に相対して、該ヒンジアームの１つの自由端から或る距離において延在する。このことは、前記コーナヒンジに対して最大の保護を提供する。
【００１３】
前記保護壁のそれぞれは好ましくは、滑らかに屈曲させられた部分を備える。該屈曲させられた部分は前記端部に一体化し、少なくとも前記蓋部が閉じた位置にある場合に、前記底部の側面の１つと前記底部の背面との間の丸い移行部を形成する。かくして得られる丸い移行部は、前記コーナヒンジに隣接して存在する筐体のコーナ部分に丸い角を与えるための理想的な機能を形成する。丸い角は、尖ったコーナ部分の不在により、前記筐体をよりカスタマフレンドリなものとし、直線的な角よりも損傷に対して耐性がある。それ故好ましくは、前記筐体の全てのコーナが丸い角のコーナである。
【００１４】
前記蓋部は好ましくは、とりわけ射出成形による生成物として、１つの生成物として構成される。前記底部もまた、好ましくは１つの射出成形による生成物である。このことは、ヒンジ機構を含め、筐体全体の単純な製造を可能とする。前記筐体は好ましくは、外部から読み取ることができる情報を前記筐体に格納する可能性を最大化するために、透明な物質から形成される。適切な物質は、例えばポリスチレンである。
【００１５】
上述の特徴の組み合わせを備える、本発明による筐体の変形例もまた可能であることに留意されたい。
【００１６】
本発明による筐体は、一般に知られたＣＤケースのものと略対応する外法、即ち１４２ｍｍの奥行、１２４ｍｍの幅及び１０ｍｍの高さを持っても良い。本発明による筐体の他の適切なサイズは、１９０ｍｍの奥行、１４２ｍｍの幅及び１０ｍｍの高さによって定義される。
【００１７】
本発明は、図を参照しながら例としてより詳細に説明される。
【発明を実施するための最良の形態】
【００１８】
図１及び２に示される本発明による筐体は、本例においてはオーディオ情報を備えたＤＶＤである光情報担体２０の格納に適している。かような情報担体は、１つ又は幾つかの光書き込み可能な及び／又は読み取り可能な情報層を持ち、中央開口を備える。２つの部分で構成される前記筐体は、底部１と平面型の蓋部３とを有し、これらはコーナヒンジ５Ａ及び５Ｂによってヒンジ式に動くように相互接続される。底部１は、本例では嵌め込まれたトレイである保持機構７を有し、該保持機構７はクランプ力を用いて前記情報担体を保持するための中央クランプ機構７ａを備え、中央クランプ機構７ａは、クランプされた状態で前記情報担体の前記中央開口に突出する。代替の実施例においては、前記保持機構はまた、前記底部の一体型の部分を形成しても良い。
【００１９】
底部１は箱型の形を持ち、１つの面が開いており、底壁２、底壁２に垂直な前壁１ａ及び後壁１ｂ、並びに底壁２に垂直な２つの側壁１ｃを備える。前壁１ａ、後壁１ｂ及び側壁１ｃは、全て同じ高さを持ち、透明でありその長さの少なくとも大部分に亘って略中断されない。本例においては、底面２もまた透明である。後面１ｂは前記筐体の後端を形成し、該後端に隣接してヒンジ５Ａ及び５Ｂが存在する。蓋部３は略平面の形状を持ち透明であり、本例においては、挿入された情報ブックレット又はリーフレット９を保持するために、底部１に面する側にタグ３ａを備える。本例においては、前記筐体は以下の外法を持つ。即ち１４２ｍｍの奥行ｄ、１２４ｍｍの幅ｗ及び１０ｍｍの高さｈである。前記筐体は丸いコーナ４を備える。
【００２０】
本発明による筐体の本実施例においては、底面１、とりわけ底壁２において延在する挿入物１１が存在する。本例における挿入物１１は４つの直立した部分、即ち前壁１ａに相対して延在する部分１１ａ、後壁１ｂに相対して延在する部分１１ｂ、及び側壁１ｃに相対して延在する２つの部分１１ｃを有する。透明な壁１ａ、１ｂ及び１ｃに面する直立した部分１１ａ、１１ｂ及び１１ｃの側面は、前記筐体に属する情報担体２０に関する印刷された情報を備える。直立した部分１１ａ、１１ｂ及び１１ｃは好ましくは、前記挿入物の主部１２と一体化された統一体を形成し、折り線に沿って前記主部に対して曲げられる。挿入物１１は、紙、合成樹脂又は何らかの他の適切な物質から作成されても良い。
【００２１】
図から明らかなように、挿入物１１は、底部１の完全に内部に位置し、本例においては主部１２は底壁２と保持機構７との間に延在する。
【００２２】
基本的に同一であるコーナヒンジ５Ａ及び５Ｂの構成が、図１、２及び３を参照しながらより詳細に説明される。コーナヒンジ５Ａ及び５Ｂのそれぞれは、蓋部３の一部を形成し蓋部３のそれぞれの側面３２に対して没入させられた没入したヒンジアーム３０を備えた、２つのヒンジ構造を有する。ヒンジアーム３０は、互いに向かう及び互いから離れる方向に幾分弾性があり、それぞれスタッド３４を備え、２つのスタッド３４はヒンジアーム３０の互いに面する側に存在する。ヒンジ５Ａ及び５Ｂはそれぞれ、底部１の一部を形成する没入したヒンジ壁３６を更に有する。ヒンジ壁３６は、側壁１ｃによって形成される底部１の側面の背後に没入させられて存在し、開口部３８を備え、該開口部３８にそれぞれのスタッド３４が挿入される。前記底部は、ヒンジ壁３６の配置を可能とするために、コーナ凹部４０を備える。コーナヒンジ５Ａ及び５Ｂは、基本的に前記コーナ凹部４０に存在する。ヒンジアーム３０を保護するため、コーナヒンジ５Ａ及び５Ｂのヒンジ構造は、側面３２において保護壁４２を持つ。保護壁４２は、ヒンジアーム３０から或る距離において延在し、大部分がヒンジアーム３０に平行か又は略平行に延在し、横方向に幾分弾性があるように作成されても良い。ヒンジアーム３０に平行な壁部は、数字４２Ａによって示される。本例においては、ヒンジアーム３０と該ヒンジアーム３０が面する壁部４２Ａとの間の距離ｄは９．８ｍｍである。蓋部３は、ヒンジ構造即ちヒンジアーム３０と保護壁４２とによって定義され、これらの構造をカバーする２つのエリア３５を持つ。本例においては、エリア３５は、例えば前記筐体に格納されているディスクのタイプ又は企業名を表すロゴを備える。利用される前記ヒンジアームと前記面する壁部との間の比較的大きな距離は、前記蓋部を製造するために利用される成形に、ロゴを表す交換可能な挿入成形部を備えることを可能とする。
【００２３】
本実施例において保護壁４２は、互いに向かって屈曲させられ、ヒンジアーム３０の自由端４６から幾分の距離に延在する、自由端部４４を備える。自由端部４４は、保護壁４２の滑らかに屈曲させられた部分４８を介して、壁４２の残りに接続される。屈曲部４８は、少なくとも略９０°に亘って延在し、前記底部の後壁１ｂによって形成される後側への丸い移行部を形成し、かくして前記筐体の丸いコーナ４の２つを形成する。保護壁４２は、底部１の側壁１ｃと同一平面に位置するように、コーナ凹部４０に配置される。底部１の全体及び蓋部３の全体の両方が、一体化された射出成形による生成物を形成する。
【００２４】
図４、５Ａ及び５Ｂに示された本発明による筐体は、例えばビデオ情報を備えたＤＶＤの格納のために設計されている。本例における前記筐体の大きさは、１４２ｍｍの奥行ｄ、１９０ｍｍの幅ｗ、及び１０ｍｍの高さｈである。前記筐体は底部１０１と蓋部１０３とを備える。前記底部において、クランプ力によって情報担体１２０を保持するためのクランプ部材１０７ｂを備えた、略平面形の部材１０７ａを有する保持部材１０７がある。蓋部１０３は、２つのコーナヒンジ１０５Ａ及び１０５Ｂによって底部１０１に接続され、それぞれが蓋部１０３の側面１３２に対して没入させられて位置する２つの没入したヒンジアーム１３０を備える。底部１０１は、ヒンジアーム１３０に適合させられ、没入したヒンジ壁１３６によって境界付けられる２つのコーナ凹部１４０を備える。没入したヒンジ壁１３６はそれぞれ、底部１０１の側面１０１ｃに対して没入させられて位置する。ヒンジアーム１３０は、ヒンジアーム１３０とヒンジ壁１３６とが前記コーナヒンジ１０５Ａ及び１０５Ｂを構成するように、コーナ凹部１４０に延在する。ヒンジアーム１３０はスタッド１３４を備え、スタッド１３４はここではヒンジ壁１３６の開口１３８の中へ突出する。蓋１０３は加えて２つの保護壁１４２を備え、保護壁１４２の各々は、それぞれヒンジ壁１３０に相対して位置する。
【００２５】
保護壁１４２はそれぞれ自由端部１４４を備え、自由端部１４４は互いに向かって屈曲させられ、それぞれヒンジアーム１３０の１つに相対して、該ヒンジアーム１３０の１つから或る距離をおいて延在する。保護壁１４２のそれぞれは加えて、滑らかに屈曲する部分１４８を備える。屈曲部分１４８は、前記筐体が閉じられた場合に、底部１０１の横側１０１ｃと後側１０１ｂの間に丸い移行部が形成されるように端部１４４に一体化され、それにより前記筐体はコーナ凹部１４０のエリアにおいて丸いコーナを持つ。前記筐体の前部においても尖ったコーナを避けるため、底部１０１と蓋部１０３とは、これらの前側と横側の間の移行部において丸くされる。補強のため、ヒンジアーム１３０と保護壁１４２との間に堅固なリッジ１５０が備えられる。底部１０３に存在する部材１０７ａは、例えば２つのスナップクロージャ（snap closure）部材１５１によって、底部１０３に着脱可能に固定される。部材１０７ａは直立壁１５３を備え、直立壁１５３は底部１０３の透明な壁１５５から幾分かの距離をおいて延在する。底部１０３と部材１０７ａとの間に情報リーフレット１１１が延在し、リーフレット１１１の直立部１１１ａは、壁１５３と透明な壁１５５との間に保護されて位置する。部材１０７ａは、幾つかの（本例においては４つの）開口又は凹部１５７を備え、これにより情報ディスク１２０が前記筐体から容易に取り出される。
【００２６】
本発明は示された実施例に限られるものではないことに留意されたい。従って例えば、本発明に関する前記保持機構及び／又は他の幾つかの構成要素は、異なる方法で構成されても良い。前記筐体が、異なるタイプのディスク型の情報担体に特に適合されることも可能である。更に、前記筐体が挿入物を格納しないことも可能である。かような場合には、前記保持機構が前記底壁の一体化された部分であっても良く、前記側壁が、特に中央部において局所的に中断されても良い。
【図面の簡単な説明】
【００２７】
【図１】本発明による筐体の第１の実施例の分解組立図である。
【図２】閉じた状態における第１の実施例の斜視図である。
【図３】コーナヒンジを備えた筐体の部分を拡大された縮尺で示す。
【図４】底部及び蓋部を有する、本発明による筐体の第２の実施例の開いた状態における平面図である。
【図５（Ａ）】保持機構を備える、第２の実施例の底部を示す平面図である。
【図５（Ｂ）】図５Ａにおける線Ｖ−Ｖにおいてとられた断面図によって底部を示す。
【図１】
2006519144.tif 000003
【図２】
2006519144.tif 000004
【図３】
2006519144.tif 000005
【図４】
2006519144.tif 000006
2006519144.tif 000007
【国際調査報告】
2006519144.tif 000008
2006519144.tif 000009
2006519144.tif 000010